(57)【要約】本発明は、少なくとも１つのアクセス端末装置および少なくとも１つのアクセス・ネットワークを必要とする方法を提供する。その方法は、少なくとも１つのアクセス・ネットワークの今後のアクセス可能性を示す情報を提供することまたは受信することを含むことができる。
2009534924.tif 000002
【特許請求の範囲】
【請求項１】
少なくとも１つのアクセス端末装置および少なくとも１つのアクセス・ネットワークを必要とする方法であって、
前記少なくとも１つのアクセス端末装置への前記少なくとも１つのアクセス・ネットワークの今後のアクセス可能性を示す情報を決定するステップ
を備える方法。
【請求項２】
前記少なくとも１つのアクセス端末装置に前記情報を提供するステップをさらに備える、請求項１に記載の方法。
【請求項３】
前記少なくとも１つのアクセス・ネットワークの今後のアクセス可能性を示す前記情報を提供するステップは、
少なくとも１つの再アクセス時間を決定するステップと、
前記少なくとも１つのアクセス端末装置に対する前記少なくとも１つの再アクセス時間を示す情報を提供するステップと
を備える、請求項２に記載の方法。
【請求項４】
前記少なくとも１つのアクセス端末装置からの少なくとも１つの呼接続の要求またはアプリケーション・フローの要求を拒否することに応答して前記少なくとも１つのアクセス端末装置に対する前記少なくとも１つの再アクセス時間を示す前記情報を提供するステップと、
前記少なくとも１つの再アクセス時間の前に前記少なくとも１つのアクセス端末装置へのアクセスを許可するステップと
を備え、前記少なくとも１つのアクセス端末装置へのアクセスを許可するステップは、遊休状態にあるアクセス端末装置からの呼接続の要求およびアクティブなアクセス端末装置からのアプリケーション・フローの要求のうちの少なくとも１つを許可するステップを備える、請求項３に記載の方法。
【請求項５】
前記少なくとも１つの再アクセス時間を示す前記情報を提供するステップは、前記少なくとも１つのアクセス端末装置に関連した優先度、前記少なくとも１つのアクセス端末装置を含む待ち行列、および前記少なくとも１つのアクセス端末装置を含む少なくとも１つのセクタに基づく時間オフセットのうちの少なくとも１つに基づいて前記少なくとも１つの再アクセス時間を決定するステップを備える、請求項３に記載の方法。
【請求項６】
少なくとも１つのアクセス端末装置および少なくとも１つのアクセス・ネットワークを必要とする方法であって、
前記少なくとも１つのアクセス・ネットワークの今後のアクセス可能性を示す情報を受信するステップ
を備える方法。
【請求項７】
少なくとも１つの再アクセス時間を示す情報を受信するステップを備え、前記情報を受信するステップは、呼接続の要求およびアプリケーション・フローの要求のうちの少なくとも１つが拒否されていることを示す少なくとも１つのメッセージを受信するステップを備え、前記少なくとも１つのメッセージは前記少なくとも１つの再アクセス時間を示す前記情報を含む、請求項６に記載の方法。
【請求項８】
前記少なくとも１つの再アクセス時間の前に前記少なくとも１つの呼要求に対するアクセスを許可する少なくとも１つのメッセージを受信するステップをさらに備え、アクセスを許可する前記少なくとも１つのメッセージを受信するステップは、呼接続の要求およびアプリケーション・フローの要求のうちの少なくとも１つを許可する少なくとも１つのメッセージを受信するステップを備える、請求項７に記載の方法。
【請求項９】
前記少なくとも１つの再アクセス時間を示す前記情報を受信するステップは、少なくとも１つの優先度に基づいて決定される再アクセス時間、前記少なくとも１つのアクセス端末装置を含む前記アクセス・ネットワークでの待ち行列に基づいて決定される再アクセス時間、および少なくとも１つの隣接したセクタに関連した時間オフセットに基づいて決定される再アクセス時間のうちの少なくとも１つを示す情報を受信するステップを備える、請求項７に記載の方法。
【請求項１０】
今後のアクセス可能性を示す前記情報を受信するステップは、前記システムが過負荷状態であることを示す情報を受信するステップおよび前記少なくとも１つのアクセス端末装置に関連した少なくとも１つのサービス等級に基づいて決定される今後のアクセス可能性を示す前記情報を受信するステップのうちの少なくとも１つを備える、請求項７に記載の方法。
【発明の詳細な説明】
【技術分野】
【０００１】
本発明は、概して通信システムに関し、より具体的には無線通信システムに関する。
【背景技術】
【０００２】
従来の無線通信システムは、携帯電話、携帯情報端末、スマートフォン、ポケットベル、テキスト・メッセージ装置、全地球測位装置、ノートブック・コンピュータ、デスクトップ・コンピュータなどの多くのアクセス端末装置への無線接続を提供する。例えば、無線通信システム内のアクセス・ネットワークは、アクセス・ネットワークに関連した地理的領域、またはセル内に配置されたアクセス端末装置に無線接続を提供することができる。呼セッションを開始するために遊休状態にあるアクセス端末装置は、アクセス端末装置を含むセルへの無線接続を提供するという呼要求（または接続要求）を１つまたは複数のアクセス・ネットワークに送信する。アクセス・ネットワークが新しい呼をサポートする十分な能力を有する場合、アクセス・ネットワークは、アクセス端末装置の呼要求を許可するメッセージを送信することができる。要求された呼セッションは開始されることができ、アクセス端末装置はアクティブ状態に入ることができる。しかし、すべての呼要求が許可されるとは限らない。
【０００３】
アクセス端末装置からの呼要求は、システムが、過負荷状態にあり、新しい呼をサポートする十分な能力を欠いているので拒否されうる。例えば、アクセス・ネットワークが、アクセス・ネットワークとアクセス端末装置との間の無線インターフェースをサポートする十分な無線周波数リソースを有することができず、したがって要求を拒否しうる。他の状態では、無線通信システム内で追加の呼を加えることをサポートする十分なバックホール容量がない可能性がある。他の状態では、基地局またはアクセス・ネットワーク内のプロセッサに関連したプロセッサ占有が、高過ぎて追加の呼をサポートすることができない。アクセス端末装置からの呼要求が拒否されるとき、アクセス・ネットワークは、呼が拒否されたことを示すメッセージをアクセス端末装置に送信する。しかし、アクセス・ネットワークは、無線通信システムの今後のアクセス可能性のいかなる指標も提供しない。
【０００４】
典型的にはアクセス端末装置は、アクセス端末装置が、アクセス手順を再び開始する前に不規則な期間待つ非パーシスタンス手順を使用して呼要求の拒否に応答する。しかし、新しい呼要求が拒否されることになる可能性は、アクセス・チャネル、および／または無線通信システムの他の部分が、再アクセス手順が不規則なアクティビティであるという少なくとも部分的な理由で重負荷をかけられるまたは過負荷状態であるときに高いままでありうる。重負荷をかけられたまたは過負荷状態のアクセス・ネットワークに再アクセスしようと試み続けることは、アクセス・チャネルに関連した無線周波数リソースおよび／またはプロセッサ・リソースを費やすことによって過負荷状態を悪化させる可能性がある。
【０００５】
アクセス端末装置は、アクセス・チャネルなどの信号チャネルを使用してデータを送信するためのデータ・オーバ・シグナリングＤｏＳ技術を使用することができる。例えば、アクセス端末装置は、ＤｏＳを使用してプッシュ・ツー・トークＰＴＴ呼を開始することができる。典型的にはＤｏＳ技術は、トラフィック・チャネルを割り当てるために使用される受付制御アルゴリズムをバイパスし、したがってトラフィック・チャネルまたは他の無線周波数リソースが呼をサポートするために利用できないときに呼要求が受け入れられるという結果になりうる。その結果、ＤｏＳ技術を使用して重負荷をかけられたまたは過負荷状態のアクセス端末装置にアクセスしようと試みることは、誤った許可、ファントムコールなどの望ましくない最終結果になりうる。典型的にはアクセス端末装置が無線通信システムの現在のアクセス可能性および／または今後のアクセス可能性を認識していないので、システムは前述の問題を悪化しうるＤｏＳ技術を使用して無線通信システムにアクセスしようと試み続ける可能性がある。
【発明の開示】
【発明が解決しようとする課題】
【０００６】
本発明は、上記の問題のうちの１つまたは複数の影響に対処することに関する。
【課題を解決するための手段】
【０００７】
下記は、本発明のいくつかの態様の基本的な理解を提供するために本発明の簡略化した要約を提供する。この要約は本発明の網羅的な概要ではない。本発明の基幹の要素または重要な要素を識別するまたは本発明の範囲を描くものではない。その唯一の目的は、後で議論されるより詳細な説明に対する序文として簡略化された形でいくつかの概念を提供することである。
【０００８】
本発明の実施形態では、少なくとも１つのアクセス端末装置および少なくとも１つのアクセス・ネットワークを必要とする方法が提供される。それらの方法は、少なくとも１つのアクセス・ネットワークの今後のアクセス可能性を示す情報を提供することまたは受信することを含むことができる。
【０００９】
本発明は、同じ参照番号が同じ要素を識別する添付図面と共になされた下記の説明を参照することによって理解されることができる。
【００１０】
本発明は様々な変更形態および代替の形が可能であるが、その特定の実施形態は、図面内で例として示されており、本明細書で詳細に説明されている。しかし、特定の実施形態の本明細書での説明は開示された特定の形に本発明を限定するものではなく、むしろ本発明が、添付の特許請求の範囲によって定義される本発明の精神および範囲内に入るすべての変更形態、均等物、および代替形態を包括すべきであることが理解されよう。
【発明を実施するための最良の形態】
【００１１】
本発明の例示の実施形態が下記で説明される。明確にするために、実際の実装形態のすべての特徴が本明細書で説明されているとは限らない。もちろん、任意のこの種の実際の実施形態の開発では多くの実装形態特定の決定が、実装形態によって変わることになるシステム関係の制約およびビジネス関係の制約の準拠などの開発者の特定の目標を達成するためになされるべきであることが理解されよう。さらに、この種の開発努力は、複雑であり時間がかかる可能性があるが、それにもかかわらずこの開示の利益を有する当業者にとって負うルーチンであろうことが理解されよう。
【００１２】
本発明および対応する詳細な説明の一部が、ソフトウェア、またはコンピュータ・メモリ内のデータ・ビット上の動作のアルゴリズムおよびシンボリック表現に関して提供される。これらの説明および表現は、当業者が他の当業者に彼らの研究の内容を効果的に伝達するものである。用語が本明細書で使用されるように、および用語が概して使用されるように、アルゴリズムは所望の結果を生じる首尾一貫したステップのシーケンスであると考えられる。ステップは、物理量の物理的な操作を必要とするものである。通常、必然的にこれらの量は、格納され、転送され、組み合わされ、比較され、そうでない場合に操作されることができる光信号、電気的信号、または磁気信号の形をとる。これらの信号をビット、値、要素、シンボル、文字、用語、数字などと呼ぶことが、主に共通使用の理由で適宜、便利であると分かっている。
【００１３】
しかし、これらの用語および同様の用語のすべては、適切な物理量に関連付けられるべきであり、これらの量に適用された単に便利なラベルであることに留意されたい。他の方法で具体的に明記されない限り、または議論から明らかなように、「処理する」または「算定する」または「計算する」または「決定する」または「表示する」などの用語は、コンピュータ・システムのレジスタおよびメモリ内の物理的な電子量として表されるデータをコンピュータ・システムのメモリもしくはレジスタまたは他のこの種の情報記憶装置、伝送装置もしくは表示装置内の物理量として同様に表される他のデータに操作し変換するコンピュータ・システム、または同様の電子コンピューティング装置の動作および処理を意味する。
【００１４】
典型的には本発明の態様を実現されたソフトウェアは、ある形のプログラム記憶媒体上にコード化されるまたはある種の伝送媒体を介して実施されることも留意されたい。プログラム記憶媒体は、磁気（例えば、フロッピ・ディスクまたはハード・ドライブ）または光学（例えば、コンパクト・ディスク・リード・オンリ・メモリ、または「ＣＤ  ＲＯＭ」）であってよく、リード・オンリまたはランダム・アクセスであってよい。同様に、伝送媒体は、ツイストペア線、同軸ケーブル、光ファイバ、または当技術分野で知られるある種の他の適切な伝送媒体であってよい。本発明は、任意の所与の実装形態のこれらの態様によって限定されない。
【００１５】
ここで本発明は添付の図を参照して説明される。様々な構造、システムおよび装置が、説明だけのためにおよび当業者によく知られている詳細で本発明を不明瞭にしないために図面に概略的に示される。それにもかかわらず添付図面が、本発明の例示の例を記載し説明するために含まれる。本明細書で使用される語および句は、当業者によるそれらの語および句の理解と一致する意味を有するものと理解され解釈されるべきである。用語または句の特別な定義（すなわち、当業者によって理解される通常のおよび通例の意味と異なる定義）は、本明細書での用語または句の一貫性のある使用によって意味されるものではない。用語または句が特別な意味（すなわち、当業者によって理解される意味以外の意味）を有するものであるという点ではこの種の特別な定義は、用語または句に関する特別な定義を直接、明白に提供する定義方法で本明細書に明確に記載される。
【００１６】
図１は、無線通信システム１００の第１の例示の実施形態を概念的に示す。第１の例示の実施形態では、無線通信システム１００はネットワーク１０５を含む。ネットワーク１０５は、ユニバーサル移動体通信システムＵＭＴＳ、モバイル通信用グローバル・システムＧＳＭ、符号分割多元接続（ＣＤＭＡ、ＣＤＭＡ２０００）などの１つまたは複数の規格またはプロトコルにより動作することができる。本開示の利益を有する当業者は、ネットワーク１０５が１つまたは複数の有線プロトコルにより動作する有線部分を含むことができることも理解すべきである。しかし、特定の規格、プロトコル、またはその組合せは、設計選択の問題であり、本発明にとって重要ではない。
【００１７】
１つまたは複数のアクセス・ネットワーク１１０は、ネットワーク１０５に通信できるように接続され、無線通信システム１００内の無線接続を提供するために使用されることができる。単一のアクセス・ネットワーク１１０が図１に示されているが本開示の利益を有する当業者は、任意の数のアクセス・ネットワーク１１０が無線通信システム１００内に配置されることができることを理解すべきである。当業者は、本発明がアクセス・ネットワーク１１０を含む無線通信システムに限定されないことも理解すべきである。代替の実施形態では無線通信システム１００は、無線接続を提供するために他の装置（無線ネットワーク・コントローラなど）を含むことができる。アクセス・ネットワーク１１０を構成するおよび／または動作させるための技術は当技術分野では知られており、明確にするために、本発明に関連するアクセス・ネットワーク１１０を構成するおよび／または動作させるそれらの態様だけが本明細書でさらに議論される。
【００１８】
１つまたは複数のアクセス端末装置１１５（１〜３）が無線通信システム１００内に配置される。インデックス（１〜３）は、個々のアクセス端末装置１１５（１〜３）またはそのサブセットを示すために使用されることができる。しかし、これらのインデックスは、アクセス端末装置１１５をひとまとめにして参照するときに除去されることができる。本発明は、図に示される他の要素に適用され、数字および１つまたは複数のインデックスによって示されることもできる。３つのアクセス端末装置１１５が図１に示されるが、本開示の利益を有する当業者は、任意の数のアクセス端末装置１１５が無線通信システム１００内に配置されることができることを理解すべきである。当業者は、アクセス端末装置１１５が「モバイル・ユニット」、「移動局」、「ユーザ装置」、「加入者局」、「加入者端末装置」などの用語を使用して参照されることもできることも理解すべきである。例示のアクセス端末装置１１５は、限定されないが携帯電話、携帯情報端末、スマートフォン、ポケットベル、テキスト・メッセージ装置、全地球測位装置、ネットワーク・インターフェース・カード、ノートブック・コンピュータ、およびデスクトップ・コンピュータを含む。アクセス端末装置１１５を構成するおよび／または動作させるための方法は当技術分野では知られており、明確にするために、本発明に関連するアクセス端末装置１１５を構成するおよび／または動作させるそれらの態様だけが本明細書でさらに議論される。
【００１９】
示された実施形態ではアクセス端末装置１１５（１〜２）は、それぞれ無線インターフェース１２０（１〜２）を介してアクセス・ネットワーク１１０に対する無線接続を確立している。したがって、アクセス端末装置１１５（１〜２）はアクティブ状態であると呼ばれる。確立された無線接続は、無線インターフェース１２０（１〜２）を介して１つまたは複数のアプリケーション・フローをサポートするために使用されることができる。例えば、アクセス端末装置１１５（１）は、ボイス・オーバ・インターネット・プロトコルＶｏＩＰなどの音声アプリケーション用の１つのアプリケーション・フローならびに高速アップリンクおよび／またはダウンリンクのデータフロー用の１つまたは複数の他のアプリケーション・フローを有することができる。アプリケーション・フローは、遊休状態にあるアクセス端末装置１１５が新しい通信セッションを開始するときに開始されることができる。アプリケーション・フローは、既存の通信セッション中にアクティブなアクセス端末装置１１５によって開始されるおよび／または停止されることもできる。例えば、アクティブなアクセス端末装置１１５は、新しいアプリケーション・フローを開始するためにリソースを要求するためのリザベーション・オン・リクエストＲｏＲ・メッセージを提供することができる。
【００２０】
無線通信システム１００は、アクティブなアクセス端末装置１１５（１〜２）および／または無線インターフェース１２０（１〜２）に関連したシステム負荷を受ける。本明細書で使用されるように用語「システム負荷」は、無線インターフェース１２０（１〜２）を介してアクセス端末装置１１５（１〜２）との無線通信をサポートするために留保される、割り当てられる、または現在使用されている無線通信システムのリソースを意味する。システム負荷は、無線通信システム内の様々なエンティティに関連したリソースを含むことができる。例えば、システム負荷は、ネットワーク１０５とアクセス・ネットワーク１１０との間で情報を搬送するために使用されるバックホール・リソースを含むことができる。システム負荷は、無線インターフェース１２０（１〜２）、アクセス・ネットワーク１１０内のプロセッサに関連したプロセッサ占有などをサポートするために使用される無線周波数リソースを含むこともできる。当業者は、システム負荷が、図１に示されるエンティティに関連した他の構成要素ならびに図１に示されていない他のエンティティを含むこともできることを理解すべきである。
【００２１】
無線通信システム１００の負荷、または無線通信システム１００内の個々のエンティティは、アクセス・ネットワーク１１０が新しい通信セッションおよび／または既存のセッションに関連した新しいアプリケーション・フローを受け入れるか否かを決定することができる。アクセス・ネットワーク１１０が過負荷状態である（すなわち、アクセス・ネットワーク１１０との無線通信をサポートするために必要とされるリソースのうちの１つまたは複数が、現在の通信セッションをサポートすることに完全に（またはほぼ完全に）コミットされている）場合、アクセス・ネットワーク１１０は、いかなる新しい通信セッションまたはアプリケーション・フローを受け入れる見込みがないおそれがある。例えば、ネットワーク１０５とアクセス・ネットワーク１１０との間のバックホール・リンクが全能力近くでまたは全能力で動作している場合、アクセス・ネットワーク１１０は、新しい通信セッションまたはアプリケーション・フローを受け入れうる可能性がない。他の例の場合、アクセス・ネットワーク１１０が利用できる伝送電力のほとんどまたはすべてが無線インターフェース１２０（１〜２）をサポートするために割り当てられている場合、アクセス・ネットワーク１１０は、新しい通信セッションまたはアプリケーション・フローを受け入れうる可能性がない。
【００２２】
アクセス・ネットワーク１１０は、アクセス・ネットワーク１１０が、今後、アクセス端末装置１１５のうちの１つまたは複数にアクセス可能でありうるか否かを示す情報を提供することができる。下記でより詳細に議論される１つの実施形態では、アクセス・ネットワーク１１０の今後のアクセス可能性を示す情報は、遊休状態にあるアクセス端末装置１１５（３）（例えば、呼接続（またはアプリケーション・フロー）を以前に要求した（矢印１３０によって示されるように）が拒否された既存の接続を有しない遊休状態にあるアクセス端末装置１１５（３））に関する予定された再アクセス期間またはタイムスロットを示すメッセージ１２５を含む。アクセス・ネットワーク１１０の今後のアクセス可能性を示す情報は、無線通信システム１００が使用中であることを示すメッセージを含むこともできる。１つの実施形態では情報が、アクセス端末装置１１５のうちの１つまたは複数に関連したサービスの等級に基づいて提供されることができる。次いでアクセス端末装置１１５は、アクセス・ネットワーク１１０を介して無線通信システム１００にアクセスを試みる時（または、アクセスを試みるかどうか）を決定するためにこの情報を使用することができる。
【００２３】
場合によってはアクセス・ネットワーク１１０は、以前に拒否された呼接続（または、アプリケーション・フロー）の要求が許可されることを可能にするリソースが利用できるようになったことを決定することができる。例えば、トラフィック・チャネルなどの以前に割り当てられたリソースを新しい呼のために解放することができる他の接続が解放されることができる。したがって、１つの実施形態ではアクセス・ネットワーク１１０は、１つまたは複数のトラフィック・チャネルなどの追加のリソースが利用できるようになったことを決定することに応答して、アクセス端末装置１１５からの以前に拒否された呼要求に対するアクセスを許可することができる。しかし、本開示の利益を有する当業者は、無線通信システム１００のリソースのうちの任意の割当ての変化によってアクセス・ネットワーク１１０が以前に拒否された呼接続要求を受け入れることができてよいことを理解すべきである。
【００２４】
図２は、無線通信システムへの再アクセス試行を予定するための方法２００の１つの実施形態を概念的に示す。示された実施形態では、方法２００はアクセス・ネットワーク内で実現される。しかし、本発明はアクセス・ネットワーク内で方法２００を実現することに限定されない。代替の実施形態では方法２００の一部は、アクセス・ネットワークに加えて他の無線通信システムのエンティティ内で実現されることができる。本開示の利益を有する当業者は、方法２００が、ハードウェア、ファームウェア、ソフトウェア、またはその任意の組合せを使用して実現されることができることを理解すべきである。
【００２５】
矢印２１０によって示されるように、アクセス試行のために使用されることができる複数のタイムスロットまたは時間間隔２０５が、時間が右方向に増大して示される。タイムスロット２０５のすべてが図２で数字によって示されているとは限らない。遊休状態であるアクセス端末装置が呼接続を開始しようとし（例えば、呼接続の要求を送信することによって）、アクセス・ネットワークが要求を拒否する場合、アクセス・ネットワークはアクセス端末装置に関連した識別子を記録することができ、識別子は待ち行列２１５内に置かれることができる。１つの実施形態ではアクセス端末装置の識別子は、関連の呼接続の要求が拒否される順序で待ち行列２１５内に置かれる。例えば、遊休状態にあるアクセス端末装置ＡＴ１、ＡＴ２、ＡＴ３、ＡＴ４、およびＡＴ５に関連した呼接続の要求は、矢印２２０によって示される順序で拒否され、したがって対応する順序で待ち行列２１５内に置かれている。
【００２６】
タイムスロット２０５は、待ち行列２１５内のアクセス端末装置の位置に基づいて再アクセス試行のために遊休状態にあるアクセス端末装置に割り当てられることができる。示された実施形態ではアクセス端末装置ＡＴ１は、残りのアクセス端末装置のうちのいずれかより前に呼接続の要求を拒否され、したがって待ち行列２１５の最上部にいる。したがって、アクセス・ネットワークは、再アクセス試行のためにタイムスロット２０５（１）にアクセス端末装置ＡＴ１を割り当てることができる。同様に、アクセス端末装置ＡＴ２、ＡＴ３、およびＡＴ４は、それぞれタイムスロット２０５（４〜６）に割り当てられることができる。
【００２７】
次いでアクセス・ネットワークは、割り当てられたタイムスロット２０５を示す情報を適切なアクセス端末装置に提供することができる。１つの実施形態では割り当てられたタイムスロット２０５は、要求された接続が拒否されたことをアクセス端末装置に通知するために使用される同一のメッセージ内で適切なアクセス端末装置に伝達される。例えば、アクセス・ネットワークは、ＣｏｎｎｅｃｔｉｏｎＤｅｎｙメッセージ内で割り当てられたタイムスロット２０５をアクセス端末装置に伝達することができる。しかし、本開示の利益を有する当業者は、本発明が、呼接続の要求を拒否するために使用される同一のメッセージ内で割り当てられたタイムスロット２０５をアクセス端末装置に送信することに限定されないことを理解すべきである。代替の実施形態では、任意の順序で送信されることができる個別のメッセージが、呼接続の要求を拒否し、割り当てられたタイムスロット２０５を伝達するために使用されることができる。
【００２８】
次いで遊休状態にあるアクセス端末装置は、割り当てられたタイムスロット２０５中に無線通信システムに再アクセスしようとすることができる。例えば、アクセス端末装置は、割り当てられたタイムスロット２０５中に呼接続の要求を送信することができる。アクセス端末装置は、それらが割り当てられたタイムスロット２０５中に無線通信システムに首尾よく再アクセスした後に待ち行列２１５から除去されることができる。あるいは、アクセス端末装置は、予定されたアクセス・タイムスロット２０５が、アクセス端末装置が無線通信システムに再アクセスすることができる前に終了する場合に待ち行列２１５から除去されることができる。それらの端末装置の予定されたタイムスロット２０５中に無線通信システムに再アクセスすることができないアクセス端末装置は、再アクセス手順を繰り返すことが必要とされうる。
【００２９】
あるいは、遊休状態にあるアクセス端末装置は、それが規定された遅延時間を有する予定された再アクセス命令を受信した後に無線通信システムに再アクセスを試みないように選択することができる。しかし、アクセス・ネットワークは、システム負荷が可能にされるとすぐに待ち行列２１５内の接続要求を処理することができる。アクセス・ネットワークは、接続要求が、予定された遅延時間が終了される前に再アクセスするのを待っているアクセス端末装置に受け入れられたことを示すメッセージを送信することができる。
【００３０】
他の実施形態では上述のパーシスタンス手順は、確立された通信セッションを有するアクティブな端末装置によって新しいアプリケーション・フローに関する要求を管理するために使用されることもできる。例えば、パーシスタンス手順は、アクティブなアクセス端末装置からのリザベーション・オン・リクエストＲｏＲ・メッセージの拒否に適用されることができる。リザベーション・オン・リクエスト・メッセージが拒否されるとき、アクセス・ネットワークは、アクティブなアクセス端末装置がＲｏＲメッセージを再送信することを可能にされる前に遅延時間を決定することができる。１つの実施形態では、予定された遅延時間はリザベーション拒否メッセージ内に含まれることができる。ＲｏＲはアクセス・ネットワークで待ち行列に入れられることになり、アクセス端末装置は、予定された遅延時間後に他のＲｏＲを発行することができる。あるいは、アクセス・ネットワークは、待ち行列内にＲｏＲを受け入れ、予定された遅延時間が終了される前にアクセス端末装置にＲｏＲ受け入れメッセージを送信することができる。
【００３１】
アクセス端末装置に関連した優先度は、関連の呼接続の要求が拒否された時間に基づいて決定されることができる。示された実施形態ではアクセス端末装置ＡＴ１は、残りのアクセス端末装置のいずれかより前に呼接続の要求を拒否されており、したがってタイムスロット２０５のうちの１つに対する割当てに関する比較的高い優先度を有する。その結果、上記で議論されたようにアクセス端末装置ＡＴ１は、待ち行列２１５の最上部に置かれることができる。しかし、他の基準が、アクセス端末装置の優先度を決定するために使用されることもできる。示された実施形態ではアクセス端末装置ＡＴ６、ＡＴ７は現在、待ち行列２１５内にあるアクセス端末装置より後に呼接続の要求を拒否されているが、それにもかかわらずアクセス端末装置ＡＴ６、ＡＴ７は、例えば、緊急呼または試験呼に関するより高い優先度を割り当てられることができる。したがって、アクセス端末装置ＡＴ６、ＡＴ７は高い優先度の待ち行列２２５内に置かれることができる。
【００３２】
高い優先度の待ち行列２２５内のアクセス端末装置は、待ち行列２１５内のアクセス端末装置の一部またはすべてより前に再アクセス試行のためのタイムスロット２０５を割り当てられることができる。示された実施形態では１つまたは複数のタイムスロット２０５は、高い優先度のアクセス端末装置が比較的早いタイムスロットの割当てを受けるように割り当てられないままでありうる。例えば、２つのタイムスロット２０５（２〜３）は、タイムスロット２０５（１）と２０５（４）との間に残されることができ、アクセス・ネットワークは、アクセス端末装置ＡＴ６、ＡＴ７をそれらの比較的高い優先度に基づいてタイムスロット２０５（１）、２０５（４）に割り当てることができる。１つの実施形態では割り当てられないタイムスロット２０５は、新しいアクセス端末装置によって不規則な初期のアクセス試行のために使用されることもできる。
【００３３】
１つの実施形態では、隣接したセクタまたはセルに関連した予定されたタイムスロット２０５が関連のオフセットを有することができる。例えば、第１のセクタに関連したタイムスロット２０５は、第２のセクタに関連したタイムスロットに対するタイムスロット２０５の継続期間の割合によってオフセットされることができる。したがって、無線通信システムに再アクセスしようとする間に１つのセクタから他のセクタに移動するアクセス端末装置は、第１のセクタにいる間に第１のタイムスロット２０５を割り当てられることができる。第１のセクタによって割り当てられたタイムスロット２０５は、第２のセクタ内のタイムスロット構造に正確に対応することができない。１つの実施形態ではアクセス端末装置は、割り当てられたタイムスロット２０５中に無線通信システムに依然として再アクセスしようとすることができる。あるいは、アクセス端末装置は、それが新しいセクタに入るときに再アクセス手順を再開することが必要とされうる。アクセス端末装置が第２のセクタに入るとき、第１のセクタによって割り当てられたタイムスロット２０５を使用して無線通信システムに再アクセスしようとすることができるか否かを決定するための基準は、設計選択の問題であり、本発明にとって重要ではない。
【００３４】
図３は、アクセス・ネットワーク３０５および１つまたは複数のアクセス端末装置３１０を含む無線通信システム３００の１つの例示の実施形態を概念的に示す。示された実施形態では無線通信システム３００の一部が、重負荷をかけられているまたは過負荷状態である。例えば、アクセス・ネットワーク３０５の無線周波数リソースが、完全に（または、ほぼ完全に）割り当てられる可能性がある、バックホール・リンクが、全能力近くでまたは全能力で動作している可能性がある、アクセス・ネットワーク３０５内のプロセッサ占有が高い可能性がある、または無線通信システム３００のある他の部分が、重負荷がかけられているもしくは過負荷状態である可能性がある。無線通信システム３００の重負荷のまたは過負荷の状態の少なくとも部分的理由でアクセス・ネットワーク３０５は、アクセス端末装置３１０のうちの１つまたは複数によって今後のアクセス要求を許可する見込みがないおそれがある。
【００３５】
矢印３１５によって示されるようにアクセス・ネットワーク３０５は、アクセス・ネットワーク３０５が今後のアクセス要求を許可する見込みがないことを示す情報を同報通信することができる。１つの実施形態では情報は、データ最適化規格によって定義されたＱｕｉｃｋＣｏｎｆｉｇメッセージなどのオーバヘッド・メッセージの一部として送信されることができる。例えば、オーバヘッド・メッセージ内の１つまたは複数のビットは、今後のアクセス要求が、アクセス・ネットワーク３０５によって拒否されうることを示すように設定されることができるシステム・ビジー・フラグとして割り当てられることができる。今後のアクセス要求の起こりうる拒否に関する理由を示す情報が提供されることもできる。例えば、無線周波数リソースが完全に（または、ほぼ完全に）割り当てられる、バックホール・リンクが全能力であるまたは全能力に近い、プロセッサ占有が高いかどうかなどを示す理由コードが送信されることができる。他の例の場合、様々な優先度のグループおよびサービスの種類に対する命令として現在の負荷のレベルを示す情報が提供されることもできる。
【００３６】
アクセス端末装置３１０は、アクセス・ネットワーク３０５を介して無線通信システム３００にアクセスしようと試みるか否かを決定するためにアクセス・ネットワーク３０５によって提供される情報を使用することができる。例えば、遊休状態にあるアクセス端末装置３１０は、アクセス手順を始める前にオーバヘッド・メッセージ内のシステム・ビジー・フラグをチェックすることができる。比較的低い優先度を有するアクセス端末装置３１０は、システム・ビジー・フラグが、アクセス・ネットワーク３０５が今後のアクセス要求を拒否しうることを示す場合に無線通信システム３００にアクセスしようとすることができない。１つの実施形態では遊休状態にある低い優先度のアクセス端末装置３１０は、これらのアクティビティが非パーシスタンス規定によって事前に予定されているまたは決定されている場合でも任意のアクセス・アクティビティを開始することができない。接続された状態にある低い優先度のアクセス端末装置（すなわち、アクティブなアクセス端末装置）は、システム・ビジー・フラグが、アクセス・ネットワーク３０５が今後のアクセス要求を拒否しうることを示す場合、リザベーション・オン・リクエストＲｏＲ・メッセージを送信する試みを停止することもできる。緊急呼および他の高い優先度の呼は、最近のコードを示す情報が提供されている場合、例えば、理由コードまたは現在の負荷レベルに応じてシステム・ビジーの指標を無視することができる。
【００３７】
図１に戻って参照すると、様々なサービスの等級がアクセス端末装置１１５に関連付けられることができる。例えば、データ最適化（ＤＯ）Ａ／Ｂ版では拡張アクセス・チャネルＥＡＣメディア・アクセス制御ＭＡＣプロトコルが、アクセス端末装置１１５に割り当てられることができる新しいアクセス・クラスのインデックスを定義するために使用されることができる（例えば、ＡｌｌｏｗｅｄＡｃｃｅｓｓＴｅｒｍｉｎａｌＣｌａｓｓと呼ばれるＥＡＣ  ＭＡＣに対する新しい交渉可能な汎用属性更新プロトコルＧＡＵＰ属性が追加されることができる）。ＡｌｌｏｗｅｄＡｃｃｅｓｓＴｅｒｍｉｎａｌＣｌａｓｓ属性内の各ビットは、アクセス端末装置１１５が１つまたは複数のアクセス・クラスに関連付けられることができるかどうかを表すであろう。ＡｌｌｏｗｅｄＡｃｃｅｓｓＴｅｒｍｉｎａｌＣｌａｓｓ属性の例示の値は１〜１５の範囲に及ぶことができ、ここで、１は非緊急だけを意味し、２は緊急だけを意味し、４は試験だけを意味し、８は低い待ち時間だけを意味し、１５は任意のアクセス端末装置１１５を意味するであろう。１つの実施形態では、ＡｌｌｏｗｅｄＡｃｃｅｓｓＴｅｒｍｉｎａｌＣｌａｓｓ属性の既定値は１であろう。そのアクセス・クラスを選択するためにアクセス端末装置１１５によって使用される特定の方法は、設計選択の問題であり、本発明にとって重要ではない。
【００３８】
アクセス端末装置１１５のうちの１つまたは複数に関連したサービスの等級は、どのようにアクセス端末装置１１５がアクセス・ネットワーク３０５の今後のアクセス可能性を示す情報に応答するかを決定するために使用されることができる。１つの実施形態では、アクセス・ネットワーク３０５の今後のアクセス可能性を示す情報は、アクセス・ネットワーク１１０にアクセスを試みることが可能とされるサービスの等級を示すインデックスを含むことができる。例えば、緊急インデックスおよび／または試験インデックスは、非緊急または非試験アクセス端末装置１１５に対するアクセス試行を妨げるまたは遅くするために使用されることができ、したがって緊急／試験アクセス端末装置１１５のためにアクセス能力を留保することができる。したがって、上述のパーシスタンス技術は、初期のアクセス中にアクセスの混雑状態の機会を低減するために使用されることができる。
【００３９】
サービス等級のインジケータは、どのように様々なサービス品質要求を有するアクセス端末装置１１５がアクセス・ネットワーク１１０の今後のアクセス可能性を示す情報に応答するかを決定するために使用されることもできる。１つの実施形態では、アクセス・ネットワーク１１０およびアクセス端末装置１１５は、待ち時間に影響を受けやすいアプリケーションおよび／または待ち時間に影響を受けにくいアプリケーションをサポートすることができる。例示の待ち時間に影響を受けやすいアプリケーションは、ボイス・オーバ・インターネット・プロトコルＶｏＩＰ、テレビ電話ＶＴ、またはプッシュ・ツー・トークＰＴＴなどを含む。したがって、サービス等級のインジケータは、アクセス端末装置１１５に適用されるべき特定のパーシスタンス構成（例えば、１つまたは複数のパーシスタンス・ベクトル内）に関するパラメータを示すために使用されることができる。例えば、待ち時間に影響を受けにくいアクセス端末装置１１５（例えば、実行中のサービス品質Ｑｏｓアプリケーションを有しないアクセス端末装置１１５）は、１つのパーシスタンス・ベクトルに関連付けられることができ、待ち時間の影響を受けやすいアクセス端末装置１１５（例えば、ＶｏＩＰまたはＰＴＴを実行しているアクセス端末装置）は、他のパーシスタンス・ベクトルに関連付けられることができる。したがって、混雑状態の制御は、他のアクセス端末装置１１５上で実行している待ち時間耐量のないアプリケーションのシステムレベル性能に影響を与えることなく待ち時間耐量のあるアクセス端末装置１１５に適用されることができる。
【００４０】
上記で開示された特定の実施形態は、本発明が本明細書での教示の利益を有する当業者にとって明らかな、異なるが同等の方法で変更され実施されることができるので例示だけである。さらに、添付の特許請求の範囲で説明されるもの以外、本明細書で示される構造または設計の詳細に対して限定されるものではない。したがって、上記で開示された特定の実施形態は変更されるまたは修正されることができ、すべてのこの種の変形形態は本発明の範囲および精神内で考慮されることは明らかである。したがって、本明細書で求められる保護は添付の特許請求の範囲内で記載される。
【図面の簡単な説明】
【００４１】
【図１】本発明による無線通信システムの第１の例示の実施形態を概念的に示す図である。
【図２】本発明による無線通信システムへの再アクセス試行を予定するための方法の１つの実施形態を概念的に示す図である。
【図３】本発明によるアクセス・ネットワークおよび１つまたは複数のアクセス端末装置を含む無線通信システムの第２の例示の実施形態を概念的に示す図である。
【図１】
2009534924.tif 000003
【図２】
2009534924.tif 000004
【図３】
2009534924.tif 000005
【国際調査報告】
2009534924.tif 000006
2009534924.tif 000007
2009534924.tif 000008